(57)【要約】【課題】簡易に詳細化された地図情報を取得することができる地図情報取得システム、地図情報提供方法、地図情報表示端末およびプログラムを提供する。【解決手段】地図情報取得システム１０は、地図情報表示端末１００と、地図情報提供サーバ２００とを含む。地図情報表示端末１００は、地図情報を表示する表示部１２０を含み、表示部１２０に地図情報が表示された際に、地図情報は、複数の分割領域に分割されて表示される。地図情報表示端末１００は、その利用者の要求に応じて、複数の分割領域のうち一つの分割領域の詳細化された地図情報を地図情報提供サーバ２００から取得し、表示部１２０に表示させる。【選択図】        図１
2004184782.tif 000002
【特許請求の範囲】
【請求項１】
地図情報表示端末と、地図情報提供サーバとを含む地図情報取得システムであって、
前記地図情報表示端末は、地図情報を表示する表示部を含み、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を前記地図情報提供サーバから取得し、前記表示部に表示させる、地図情報取得システム。
【請求項２】
請求項１において、
前記地図情報表示端末は、前記複数の分割領域の各々に対応する複数の指定部を含み、
前記利用者の前記指定部への指示に基づいて、詳細化する分割領域が定められる、地図情報取得システム。
【請求項３】
請求項１または２において、
前記地図情報表示端末は、前記利用者の要求に応じて、前記表示部に表示された地図情報より広い範囲の地図情報を前記地図情報提供サーバから取得し、該地図情報を表示部に表示する手段を含む、地図情報取得システム。
【請求項４】
請求項２において、
前記地図情報表示端末は、移動電話であり、
前記複数の指定部は、移動電話の入力部から構成される、地図情報取得システム。
【請求項５】
請求項２または４において、
前記指定部が数字の入力部からなる場合において、
前記地図情報表示端末は、最も広い範囲を収める地図情報を起点として、所定の地図情報を表示するまでに指示しなければならない数字群であって、前記利用者が入力した数字群を前記地図情報提供サーバに送信する手段と、
前記地図情報提供端末から提供された前記所定の地図情報を取得する手段とを含む、地図情報取得システム。
【請求項６】
地図情報表示端末と、地図情報提供サーバとを含む地図情報取得システムであって、
前記地図情報表示端末は、地図情報を表示する表示部を含み、
前記表示部に前記地図情報が表示された際に、前記地図情報は、複数の分割領域に分割されて表示され、
前記地図情報表示端末は、前記利用者の要求に応じて、前記表示部に表示された前記複数の分割領域のうち一つの分割領域が、中央に位置するような地図情報を前記地図情報提供サーバから取得し、該地図情報を前記表示部に表示する、地図情報取得システム。
【請求項７】
地図情報表示端末の表示部に、地図情報提供サーバから取得した地図情報を表示するステップであって、該地図情報は、複数の分割領域に分割されて表示されるステップと、
前記地図情報表示端末が、その利用者の要求に応じて、前記複数の分割領域のうち一つの分割領域の詳細化された地図情報を前記地図情報提供サーバから取得し、前記表示部に表示するステップとを含む、地図情報取得方法。
【請求項８】
請求項７において、
前記地図情報表示端末は、前記複数の分割領域の各々に対応する複数の指定部を含み、
前記利用者の前記指定部への指示に基づいて、詳細化する分割領域が定められる、地図情報取得方法。
【請求項９】
請求項７または８において、
前記地図情報表示端末が、前記利用者の要求に応じて、前記表示部に表示された地図情報より広い範囲の地図情報を前記地図情報提供サーバから取得し、該地図情報を表示部に表示するステップを含む、地図情報取得方法。
【請求項１０】
請求項８において、
前記地図情報表示端末は、移動電話であり、
前記複数の指定部は、移動電話の入力部から構成される、地図情報提供方法。
【請求項１１】
請求項８または１０において、
前記指定部が数字の入力部からなる場合において、
前記地図情報表示端末が、最も広い範囲を収める地図情報を起点として、所定の地図情報を表示するまでに指示しなければならない数字群であって、前記利用者が入力した数字群を前記地図情報提供サーバに送信するステップと、
前記地図情報提供端末から提供された前記所定の地図情報を取得するステップとを含む、地図情報提供方法。
【請求項１２】
地図情報表示端末の表示部に、地図情報提供サーバから取得した地図情報を表示するステップであって、該地図情報は、複数の分割領域に分割されて表示されるステップと、
前記地図情報表示端末が、前記利用者の要求に応じて、前記表示部に表示された前記複数の分割領域のうち一つの分割領域が中央に位置するような地図情報を前記地図情報提供サーバから取得し、該地図情報を前記表示部に表示するステップとを含む、地図情報取得方法。
【請求項１３】
地図情報を表示する表示部を含む地図情報表示端末であって、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を前記地図情報提供サーバから取得し、前記表示部に表示させる、地図情報表示端末。
【請求項１４】
地図情報を表示する表示部を含む地図情報表示端末であって、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を、該地図情報が記憶された記憶部から読み出し、前記表示部に表示させることを特徴とする、地図情報表示端末。
【請求項１５】
コンピュータ使用可能なプログラムであって、
地図情報を記憶した記憶部と
前記地図情報を表示する表示部と、
前記表示部に前記地図情報が表示された際に、前記地図情報が、複数の分割領域に分割されて表示する手段と、
利用者の要求に応じて、前記複数の分割領域のうち一つの分割領域の詳細化された地図情報を前記記憶部から読み出し、前記表示部に表示させる手段とを、コンピュータに実現させるプログラム。
【発明の詳細な説明】
【０００１】
【発明が属する技術分野】
本発明は、端末の表示部に地図情報を表示させる地図情報取得システム、地図情報提供方法、地図情報表示端末およびプログラムに関する。
【従来の技術】
現在、情報処理端末（たとえば携帯端末）の表示部に、地図情報を表示するサービスが提供されている。たとえば、携帯電話の要求に基づき、地図情報提供サーバが地図情報を携帯電話に地図情報を送信し、携帯電話の表示部に地図情報が表示されるというサービスがある。
【０００２】
しかし、この場合、より詳細な情報を見たい場合には、メニューの画面等を開き、それから詳細化の項目を指定して詳細化していたため、必要とする地図情報まで辿りつくのに、労力と時間を要していた。
【発明が解決しようとする課題】
本発明の目的は、簡易に詳細化された地図情報を取得することができる地図情報取得システム、地図情報提供方法、地図情報表示端末およびプログラムを提供することにある。
【課題を解決するための手段】
１．地図情報取得システム
【０００３】
本発明の地図情報取得システムは、
地図情報表示端末と、地図情報提供サーバとを含む地図情報取得システムであって、
前記地図情報表示端末は、地図情報を表示する表示部を含み、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を前記地図情報提供サーバから取得し、前記表示部に表示させる。
【０００４】
ここで、「詳細化された地図情報」とは、より詳しい地図情報を意味する。たとえば、詳細化された地図情報の一例として、縮尺がより小さい地図情報を挙げることができる。
【０００５】
本発明によれば、その利用者の要求に応じて、複数の分割領域のうち一つの分割領域の、より詳細化された地図情報を地図情報提供サーバから取得し、前記表示部に表示させる。このため、利用者にとっては、詳細化したい分割領域を指定すれば詳細化した地図情報を入手することができるため、簡易に詳細化された情報を表示部に表示することができる。
【０００６】
本発明においては、前記地図情報表示端末は、前記複数の分割領域の各々に対応する複数の指定部を含み、前記利用者の前記指定部への指示に基づいて、詳細化する分割領域が定められる。これにより、利用者にとっては、指定部を通じて詳細化したい分割領域を確実に指示することができる。
【０００７】
また、本発明においては、前記地図情報表示端末は、前記利用者の要求に応じて、前記表示部に表示された地図情報より広い範囲の地図情報を前記地図情報提供サーバから取得し、該地図情報を表示部に表示する手段を含むことができる。これにより、表示されている地図情報の範囲外の地図情報を取得でき、利用者にとっての利便性が増す。
【０００８】
また、本発明においては、前記地図情報表示端末は、移動電話であり、前記複数の指定部は、移動電話の入力部から構成されることができる。すなわち、本発明によれば、詳細化したい分割領域を指定すれば詳細化された地図情報を入手することができるため、インターフェースに制約のある移動電話に好適である。
【０００９】
また、本発明においては、前記指定部が数字の入力部からなる場合において、前記地図情報表示端末は、最も広い範囲を収める地図情報を起点として、所定の地図情報を表示するまでに指示しなければならない数字群であって、前記利用者が入力した数字群を前記地図情報提供サーバに送信する手段と、前記地図情報提供端末から提供された前記所定の地図情報を取得する手段とを含むことができる。これにより、１度入手した地図情報を、数字群を入力するだけで再取得することができる。
【００１０】
本発明の他の地図情報取得システムは、
地図情報表示端末と、地図情報提供サーバとを含む地図情報取得システムであって、
前記地図情報表示端末は、地図情報を表示する表示部を含み、
前記表示部に前記地図情報が表示された際に、前記地図情報は、複数の分割領域に分割されて表示され、
前記地図情報表示端末は、前記利用者の要求に応じて、前記表示部に表示された前記複数の分割領域のうち一つの分割領域が、中央に位置するような地図情報を前記地図情報提供サーバから取得し、該地図情報を前記表示部に表示する。
【００１１】
この発明によれば、１つのボタンで地図情報の範囲を変えることができる。また、指定した分割領域が中央にくるような地図情報を取得するため、取得しようとする地図情報の範囲を予想することができる。
【００１２】
２．地図情報取得方法
【００１３】
本発明の地図情報取得方法は、
地図情報表示端末の表示部に、地図情報提供サーバから取得した地図情報を表示するステップであって、該地図情報は、複数の分割領域に分割されて表示されるステップと、
前記地図情報表示端末が、その利用者の要求に応じて、前記複数の分割領域のうち一つの分割領域の詳細化された地図情報を前記地図情報提供サーバから取得し、前記表示部に表示するステップとを含む。
【００１４】
本発明の他の地図情報取得方法は、
地図情報表示端末の表示部に、地図情報提供サーバから取得した地図情報を表示するステップであって、該地図情報は、複数の分割領域に分割されて表示されるステップと、
前記地図情報表示端末が、前記利用者の要求に応じて、前記表示部に表示された前記複数の分割領域のうち一つの分割領域が中央に位置するような地図情報を前記地図情報提供サーバから取得し、該地図情報を前記表示部に表示するステップとを含む。
【００１５】
３．地図情報表示端末
【００１６】
本発明の地図情報表示端末は、
【００１７】
地図情報を表示する表示部を含む地図情報表示端末であって、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を前記地図情報提供サーバから取得し、前記表示部に表示させる。
【００１８】
本発明の他の地図情報表示端末は、
【００１９】
地図情報を表示する表示部を含む地図情報表示端末であって、
前記表示部に前記地図情報が表示された際に、前記地図情報は、複数の分割領域に分割されて表示され、
前記地図情報表示端末は、その利用者の要求に応じて、前記複数の分割領域のうち一つの分割領域の詳細化された地図情報を、該地図情報が記憶された記憶部から読み出し、前記表示部に表示させる。
【００２０】
４．プログラム
【００２１】
本発明のプログラムは、
【００２２】
コンピュータ使用可能なプログラムであって、
【００２３】
地図情報を記憶した記憶部と
前記地図情報を表示する表示部と、
前記表示部に前記地図情報が表示された際に、前記地図情報が、複数の分割領域に分割されて表示する手段と、
利用者の要求に応じて、前記複数の分割領域のうち一つの分割領域の詳細化された地図情報を前記記憶部から読み出し、前記表示部に表示させる手段とを、コンピュータに実現させるプログラムである。
【００２４】
【発明の実施の形態】
以下、本発明の好適な実施の形態について、図面を参照しながら説明する。
【００２５】
１．第１の実施の形態
【００２６】
１−１  地図情報取得システムの構成
【００２７】
図１は、地図情報取得システムの構成例を示す図である。
【００２８】
地図情報取得システム１０は、地図情報表示端末１００と、地図情報提供サーバ２００とを含む。地図情報表示端末１００および地図情報提供サーバ２００は、通信ネットワーク（たとえば移動通信ネットワーク、インターネット）３００に接続され、地図情報表示端末１００と地図情報提供サーバ２００とは通信ネットワーク３００を介して、情報の受送信が行われる。
【００２９】
地図情報表示端末１００は、受信部１１０と、表示部１２０と、送信部１３０と、処理部１４０と、指定部１５０とを有する。具体的には、地図情報表示端末１００は、移動電話（たとえば携帯電話、ＰＨＳ（Ｐｅｒｓｏｎａｌ  Ｈａｎｄｙ  ｐｈｏｎｅｓｙｓｔｅｍ））、パーソナルコンピュータ、ＰＤＡ（携帯端末）などからなることができる。
【００３０】
受信部１１０は、地図情報提供サーバ２００が送信した地図情報データを受信する機能を有する。
【００３１】
表示部１２０は、受信した地図情報を表示する機能を有する。表示部１２０には、図３に示すように、地図情報が複数の分割領域に分割されて表示される。表示部１２０は、地図情報を表示することができれば特に限定されず、たとえば液晶表示装置、有機ＥＬ表示装置、ＣＲＴ表示装置を挙げることができる。
【００３２】
送信部１３０は、地図情報提供サーバに対して情報を送信する機能を有する。
【００３３】
処理部１４０は、ＣＰＵ、ＲＯＭ、ＲＡＭなどから構成される。送信部１４０は、地図情報提供サーバ２００に対して地図情報表示端末１００の利用者の要求信号を送信する機能を有する。
【００３４】
指定部１５０は、詳細化したい地図情報の分割領域の各々に対応づけられており、地図情報表示端末１００の利用者が詳細化したい分割領域を指定する機能を有する。指定部１５０は、たとえば地図情報表示端末の入力部（たとえば携帯端末の場合には入力ボタンであり、パーソナルコンピュータの場合にはキーボードのキーである）から構成されることができる。この指定部１５０に対する指定の仕方は、利用者が指示した詳細化したい地図情報の分割領域を指定できるものであれば特に限定されず、利用者がその分割領域を声により指定するものであってもよい。なお、利用者がその分割領域を声により指定した場合には、その声を認識することができる認識部（たとえばマイク）が必要である。
【００３５】
地図情報提供サーバ２００は、処理部２１０と、送信部２２０と、受信部２３０と、地図情報記憶部２４０と、を有する。処理部２１０は、ＣＰＵ、ＲＯＭ、ＲＡＭなどから構成される。送信部２２０は、地図情報を地図情報表示端末１００に送信する機能を有する。受信部２３０は、地図情報表示端末１００から送信された情報を受信する機能を有する。地図情報記憶部２４０には、地図情報が記憶されている。
【００３６】
１−２  地図情報取得システムの動作
【００３７】
図２は、地図情報取得システムの動作例を示すフロチャートである。
【００３８】
図２に示すように、地図情報表示端末１００が、地図情報提供サーバ２００に対して所定の地図情報取得の要求を送信する（Ｓ１１０）。次に、その要求に応じて、地図情報提供サーバ２００が地図情報表示端末１００に対して、地図情報を送信する（Ｓ１２０）。ステップ１１０およびステップ１２０の具体例としては、地図情報表示端末１００の利用者が自己の所在地の地図情報を入手したいときは、たとえば、ＧＰＳ（全地球測位システム）装置などにより入手した位置情報や、郵便番号などを地図情報提供サーバ２００に送信し、その地図情報提供サーバ２００が地図情報表示端末１００に対してその位置に関する地図情報データを送信する。
【００３９】
次に、地図情報表示端末１００が地図情報データを受信すると、処理部１４０により地図情報データを処理して、表示部１２０に地図情報を表示する（Ｓ１３０）。この地図情報は、図３に示すように、複数の分割領域（たとえば１〜９）に分割されて表示される。なお、分割領域（１〜９）と指定部の要素とは各々対応しているため、分割数は、指定部の要素の数（たとえばボタンの数）を超えないことが好ましい。
【００４０】
次に、地図情報表示端末１００の利用者が分割領域のうち一つの分割領域を指定すると、その指定した情報が地図情報提供サーバ２００に送信される（Ｓ１４０）。その情報を受信した地図情報提供サーバ２００は、利用者が指定した領域を詳細化した地図情報データを地図情報表示端末１００に送信する（Ｓ１５０）。詳細化した地図情報データを受信した地図情報表示端末１００は、表示部１２０に、詳細化した地図情報を表示する（Ｓ１６０）。この詳細化した地図情報データも複数の分割領域に分割して表示される。
【００４１】
これらのステップＳ１３０〜Ｓ１６０をより具体的に説明する。地図情報が９分割されて表示部１２０に表示されている場合を考える。まず、詳細化したい分割領域と対応づけられた入力ボタン（認識部）を利用者が押す。なお、図３の例では、分割領域１〜９は、それぞれ地図情報表示端末１００のボタン１〜９に対応している。具体的には、図３に示すように、分割領域３を詳細化したければ、地図情報表示端末１００のボタン３を押す。地図情報表示端末１００が詳細化が要求された分割領域の情報を地図情報提供サーバ２００に送信し、地図情報提供サーバ２００がその分割領域の詳細化情報を地図情報表示端末１００に送信し、その詳細化情報（３−１〜３−９）を地図情報表示端末１００が表示部１２０に表示する。これらのステップＳ１３０〜Ｓ１６０のサイクルは、地図情報提供サーバ２００がもっている地図情報量により異なるが、その地図情報量の範囲内において、利用者が必要としている程度の詳細な地図情報を入手するまで続けることができる。
【００４２】
１−３  作用効果
本実施の形態によれば、次の作用効果を奏することができる。
【００４３】
本実施の形態においては、表示部１２０に地図情報を分割して表示させ、詳細化したい分割領域を指定してやることで、指定された分割領域にかかる詳細化した地図情報を入手することができる。したがって、詳細化したい分割領域を指定する操作のみで、より詳細化された地図情報を入手ことができることから、簡易に詳細化された地図情報を入手することができる。
【００４４】
また、少ない分割数（たとえば９）にすることにより、インターフェースに制約のある移動電話でも十分にこのシステムを利用することができることから、この点においても技術的意義がある。
【００４５】
また、地図情報の分割数は９であることが好ましい。地図情報の分割数が９であることにより、移動電話のボタンの数字が１〜９まであり、また、パーソナルコンピュータのキーボードのキーの数字も１〜９までであるところ、数字入力は多くの人が慣れていることから、入力しやすく、ミスが少ないという利点がある。
【００４６】
１−４  変形例
【００４７】
（１）地図情報表示端末１００は、図４に示すように、利用者の要求に応じて、表示部１２０に表示された地図情報より広い範囲の地図情報を地図情報提供サーバ２００から取得し、地図情報を表示部１２０に表示する手段を有していてもよい。たとえば、分割領域に対応するボタン以外のボタン（たとえば０ボタン）を押してやることで、表示部１２０に表示された地図情報より広い範囲の地図情報を表示部１２０に表示してもよい。
【００４８】
（２）地図情報を分割する手段としては、地図情報提供サーバ２００に分割された状態で地図情報データを格納していてもよく、または、地図情報表示端末１００が地図情報データを受信した後に、分割をする加工を施してもよい。
【００４９】
（３）指定部１５０が数字の入力ボタンからなる場合には、地図情報表示端末１００は、最も広い範囲を収める地図情報を起点として、所定の地図情報を表示するまでに指示しなければならない数字群であって、利用者が入力した数字群を地図情報提供サーバ２００に送信し、その地図情報を取得して、表示部１２０に表示させてもよい。具体的には、図５に示す最も広い範囲を収める地図情報から、領域Ａを表示部１２０全体に表示させるには、たとえば５→５→５→５→２→３を順に押す必要があったとすると、「５５５５２３」を入力し、送信することで、領域Ａを表示部１２０全体に表示する地図情報を取得できる機能がさらに付加されていてもよい。この場合、最も広い範囲を収める地図情報としては、地図情報提供サーバ２００に記憶されている地図情報にもよるが、日本全体をカバーする地図情報であることができる。これにより、１度入手した地図情報を、数字群を入力するだけで再取得することができる。
【００５０】
（４）隣り合う分割領域において、表示色を変えてもよい。これにより、分割領域の各々を認識しやすくなる。
【００５１】
１−５  適用例
【００５２】
この地図情報取得システム１０を利用して、地図情報表示端末１００の利用者の位置を利用者自らが特定し、その位置情報を第三者に知らしめることができる。たとえば、その利用者の位置情報を通信ネットワーク３００を介してタクシー会社の端末またはタクシー内にある端末に送信することにより、その利用者がタクシーに自己の位置を知らしめることができる。
【００５３】
また、待ち合わせ場所を第三者に知らしめるときにも利用することができる。具体的には、地図情報表示端末１００から、相手の携帯端末に送信してやることにより、確実に待ち合わせ場所を相手に知らしめることができる。
【００５４】
位置情報を知らしめるときには、利用者の付加情報を送信してもよい。たとえば、待ち合わせをするにあたって、その利用者が自らの服の特徴などを位置情報と組み合わせて相手方に送信することにより、その相手方がその利用者を見つけやすいなどの効果がある。
【００５５】
２．第２の実施の形態
【００５６】
第２の実施の形態に係る地図情報表示端末４００は、図６に示すように、処理部（ＣＰＵ）４１０と、表示部４２０と、指定部４３０と、記憶部４４０とを含む第２の実施の形態は、地図情報４４２を地図情報表示端末４００の記憶部４４０に記憶させている点で、地図情報提供サーバ２００に地図情報を記憶させている第１の実施の形態と異なる。すなわち、第２の実施の形態は、地図情報を通信ネットワーク３００を介して取得するのではなく、地図情報表示端末４００の記憶部４４０に地図情報を記憶させている点で第１の実施の形態と異なる。これ以外の点、具体的には詳細化した地図情報を取得する動作などは、第１の実施の形態と同様であるため、詳細な説明を省略する。
【００５７】
なお、本実施の形態の各部は、そのすべてを、ハードウェアのみにより実現（実行）してもよいし、情報記憶媒体に格納されるプログラムや通信インターフェースを介して配信されるプログラムにより実現してもよい。あるいは、ハードウェアとプログラムの両方により実現してもよい。
【００５８】
そして、本実施の形態の各部をハードウェアとプログラムの両方により実現する場合には、情報記憶媒体４５０には、この各部をハードウェアを利用して実現するためのプログラムが格納されることになる。より具体的には、上記プログラムが、ハードウェアである各プロセッサなどに処理を指示するとともに、必要であればデータを渡す。そして、各プロセッサなどは、その指示と渡されたデータとに基づいて、各部を実現することになる。
【００５９】
３．第３の実施の形態
【００６０】
第３の実施の形態に係る地図情報取得システムは、地図情報表示端末１００が、利用者の要求に応じて、表示部１２０に表示された地図情報より広い範囲の地図情報を地図情報提供サーバ２００から取得し、この地図情報を表示部１２０に表示する手段を有している。具体的には、図７に示すように、分割領域Ａを指定する（たとえば０のボタンを押す）ことで、分割領域Ａが中央の分割領域となるような地図情報をサーバから取得し、この地図情報を表示部１２０に表示する手段を有している。
【００６１】
これにより、１つのボタンで地図情報の範囲を変えることができる。また、指定した分割領域が中央にくるような地図情報を取得するため、取得しようとする地図情報の範囲を予想することができる。
【００６２】
なお、本発明は、上記実施の形態で説明したものに限定されず、種々の変形実施が可能である。
【図面の簡単な説明】
【図１】第１の実施の形態に係る地図情報取得システムの構成例を示す。
【図２】第１の実施の形態に係る地図情報取得システムの動作のフロチャートの一例を示す。
【図３】地図情報表示端末の表示部に表示される地図情報の表示例を示す。
【図４】変形例を説明するための図である。
【図５】変形例を説明するための図である。
【図６】第２の実施の形態に係る地図情報表示端末の構成例を示す。
【図７】第３の実施の形態に係る地図情報取得システムを説明するための図である。
【符号の説明】
１０    地図情報取得システム
１００  地図情報表示端末
１１０  受信部
１２０  表示部
１３０  送信部
１４０  処理部
１５０  指定部
２００  地図情報提供サーバ
２１０  受信部
２２０  送信部
２３０  処理部
２４０  地図情報記憶部
３００  通信ネットワーク
４００  地図情報表示端末
４１０  処理部
４２０  表示部
４３０  指定部
４４０  記憶部
４４２  地図情報
４５０  情報記憶媒体
【図１】
2004184782.tif 000003
【図２】
2004184782.tif 000004
【図３】
2004184782.tif 000005
【図４】
2004184782.tif 000006
【図５】
2004184782.tif 000007
【図６】
2004184782.tif 000008
【図７】
2004184782.tif 000009